(57)【要約】【課題】カートンの蓋を開放状態に保持し、内容物を取り出しやすくする。【解決手段】各パネルを折れ線で折り曲げて箱型に組み立てるに際し、後パネル１の内面に、天パネル２から折れ線を３介し突出する接合パネル４が接合され、後パネルに折れ線を介して連接された重畳パネル６が天パネル上に折り曲げられ被せられるカートンにおいて、接合パネルと天パネルとの間における折れ線の一箇所又は複数箇所が、接合パネルの内方へと回り込む屈曲線３ａとして形成される。接合パネルの屈曲線に対応した箇所が後パネルへと突出し、後パネルを外面側に押圧する。これにより、重畳パネルが折れ線５の折り癖に打ち勝って起立し、天パネル上の開口部１１ａを開放状態にする。【選択図】図４
2007168849.tif 000002
【特許請求の範囲】
【請求項１】
各パネルを折れ線で折り曲げて箱型に組み立てるに際し、一つのパネルの内面に、他のパネルから折れ線を介し突出する接合パネルが接合され、上記一つのパネルに折れ線を介して連接された重畳パネルが上記他のパネル上に折り曲げられ被せられるカートンにおいて、上記接合パネルと上記他のパネルとの間における折れ線の一箇所又は複数箇所が、接合パネルの内方へと回り込む屈曲線として形成されたことを特徴とするカートン。
【請求項２】
請求項１に記載のカートンにおいて、上記他のパネルに上記屈曲線に対向するように癖折り線が形成されたことを特徴とするカートン。
【請求項３】
請求項１又は請求項２に記載のカートンにおいて、上記他のパネルに、開口又は破断線で囲繞された開口領域が設けられたことを特徴とするカートン。
【請求項４】
請求項３に記載のカートンにおいて、破断線で囲繞された開口領域に重畳パネルが接着されたことを特徴とするカートン。
【請求項５】
請求項１乃至請求項４のいずれかに記載のカートンにおいて、上記重畳パネルと上記一つのパネルとの間における折れ線上に、上記屈曲線又は上記癖折り線に重なるように他の屈曲線又は癖折り線が形成されたことを特徴とするカートン。
【発明の詳細な説明】
【技術分野】
【０００１】
本発明は、一部のパネルを箱上に起立状態に保持することができるカートンに関する。
【背景技術】
【０００２】
従来、各パネルを折れ線で折り曲げて箱型に組み立てるに際し、一つのパネルの内面に、他のパネルから折れ線を介し突出する接合パネルが接合され、上記一つのパネルに折れ線を介して連接された重畳パネルが上記他のパネル上に折り曲げられ被せられるカートンが知られている。他のパネルに破断線で囲繞する開口領域を設け、この開口領域に重畳パネルを接着しておき、重畳パネルを他のパネルから剥がすようにすると、開口領域が破断線上で破断し、開口部が容易に形成される（例えば、特許文献１参照。）。
【０００３】
【特許文献１】特開平１０−３５６５４号公報
【発明の開示】
【発明が解決しようとする課題】
【０００４】
上記カートンにおいては重畳パネルが一つのパネルに単なる折れ線を介して接合されているにすぎないので、開封後に重畳パネルが折れ線の折癖によって元の位置に戻り開口部を閉じてしまうという問題がある。すなわち、内容物を取り出すたびに、重畳パネルを開けなければならず、使用者にとって煩わしい。また、重畳パネル等の内面に所定の内容を表示し、この内容を常時箱外から見ることができるようにしたい場合があるが、従来の重畳パネルは直ちに元の位置に折れ曲がってしまうので、そのような要請に応えることができないという問題もある。
【０００５】
本発明は、上記諸問題点を解決することができるカートンを提供することを目的とする。
【課題を解決するための手段】
【０００６】
上記課題を解決するため、請求項１に係る発明は、各パネルを折れ線で折り曲げて箱型に組み立てるに際し、一つのパネル（１）の内面に、他のパネル（２）から折れ線（３）を介し突出する接合パネル（４）が接合され、上記一つのパネル（１）に折れ線（５）を介して連接された重畳パネル（６）が上記他のパネル（２）上に折り曲げられ被せられるカートンにおいて、上記接合パネル（４）と上記他のパネル（２）との間における折れ線（３）の一箇所又は複数箇所が、接合パネル（４）の内方へと回り込む屈曲線（３ａ）として形成されたカートンを採用する。
【０００７】
また、請求項２に係る発明は、請求項１に記載のカートンにおいて、上記他のパネル（２）に上記屈曲線（３ａ）に対向するように癖折り線（３ｂ）が形成されたカートンを採用する。
【０００８】
また、請求項３に係る発明は、請求項１又は請求項２に記載のカートンにおいて、上記他のパネル（２）に、開口又は破断線（１１）で囲繞された開口領域が設けられたカートンを採用する。
【０００９】
また、請求項４に係る発明は、請求項３に記載のカートンにおいて、破断線（１１）で囲繞された開口領域に重畳パネル（６）が接着されたカートンを採用する。
【００１０】
また、請求項５に係る発明は、請求項１乃至請求項４のいずれかに記載のカートンにおいて、上記重畳パネル（６）と上記一つのパネル（１）との間における折れ線（５）上に、上記屈曲線（３ａ）又は上記癖折り線（３ｂ）に重なるように他の屈曲線（５ａ）又は癖折り線（５ｂ）が形成されたカートンを採用する。
【発明の効果】
【００１１】
請求項１に係る発明によれば、各パネルを折れ線で折り曲げて箱型に組み立てるに際し、一つのパネル（１）の内面に、他のパネル（２）から折れ線（３）を介し突出する接合パネル（４）が接合され、上記一つのパネル（１）に折れ線（５）を介して連接された重畳パネル（６）が上記他のパネル（２）上に折り曲げられ被せられるカートンにおいて、上記接合パネル（４）と上記他のパネル（２）との間における折れ線（３）の一箇所又は複数箇所が、接合パネル（４）の内方へと回り込む屈曲線（３ａ）として形成されたカートンであるから、接合パネル（４）における折れ線（３）内の屈曲線（３ａ）に対応した箇所が一つのパネル（１）へと突出し、一つのパネル（１）を外面側に押圧する。これにより、一つのパネル（１）と重畳パネル（６）との間に共通の凸状湾曲面（Ａ）が形成される結果、重畳パネル（６）が一つのパネル（１）との間における折れ線（５）の折り癖に打ち勝って起立する。したがって、例えば他のパネル（２）上の開口部（１１ａ）を開放状態にして内容物（Ｃ）を取り出しやすくすることができ、あるいは重畳パネル（６）の内面に表示された所定の内容を常時箱外から見ることができるようにすることができる。
【００１２】
請求項２に係る発明によれば、請求項１に記載のカートンにおいて、上記他のパネル（２）に上記屈曲線（３ａ）に対向するように癖折り線（３ｂ）が形成されたことから、癖折り線（３ｂ）の折り癖を利用し、接合パネル（４）の屈曲線（３ａ）に対応した箇所の突出形状を適正に保つことができる。
【００１３】
請求項３に係る発明によれば、請求項１又は請求項２に記載のカートンにおいて、上記他のパネル（２）に、開口又は破断線（１１）で囲繞された開口領域が設けられたことから、重畳パネル（６）を開いた後簡易かつ迅速に内容物を取り出すことができる。
【００１４】
請求項４に係る発明によれば、請求項３に記載のカートンにおいて、上記破断線（１１）で囲繞された開口領域に重畳パネル（６）が接着されたことから、重畳パネル（６）を他のパネル（２）から剥がすようにすると、開口領域が破断線（１１）で破断する。従って、開口部（１１ａ）が簡易かつ迅速に形成される。
【００１５】
この請求項５に係る発明によれば、請求項１乃至請求項４のいずれかに記載のカートンにおいて、上記重畳パネル（６）と上記一つのパネル（１）との間における折れ線（５）上に、上記屈曲線（３ａ）又は上記癖折り線（３ｂ）に重なるように他の屈曲線（５ａ）又は癖折り線（５ｂ）が形成されたことから、接合パネル（４）における屈曲線（３ａ）に対応した箇所の突出形状を、重畳パネル（６）の折り畳みにより押し潰されないよう適正に保持することができ、また、カートンの外形を綺麗に整えることができる。
【発明を実施するための最良の形態】
【００１６】
次に、本発明の実施の形態について図面を参照して説明する。
【００１７】
＜実施の形態１＞
図１乃至図５に示すように、このカートンは、各パネルを折れ線で折り曲げて箱型に組み立てるに際し、一つのパネルである後パネル１の内面に、他のパネルである天パネル２から折れ線３を介し突出する接合パネル４が接合され、後パネル１に折れ線５を介して連接された重畳パネル６が天パネル２上に折り曲げられ被せられるようになっている。
【００１８】
カートンは、全体として直方体に形成され、上記後パネル１、天パネル２、接合パネル４、重畳パネル６のほか、他のパネルとして底パネル７、前パネル８、左側パネル９、右側パネル１０を備える。天パネル２にはミシン目等の破断線１１で囲繞された開口領域が必要に応じて設けられる。この開口領域は必要に応じて重畳パネル６に接着剤等により接着される。これにより、重畳パネル６を天パネル２上からめくり上げるようにすると、開口領域が破断線１１に沿って破断し、開口部１１ａが天パネル２上に形成される。開口領域は当初から開口として穴を穿設しておくこともできる。
【００１９】
重畳パネル６の先端には折れ線１２を介してロック片１３が連接され、ロック片１３が前パネル８に接着されることにより、重畳パネル６が天パネル２に重なった状態に保持される。ロック片１３は望ましくはその先端部のみが前パネル８に接着され、先端部よりやや内側にジッパー部１３ａが形成される。ジッパー部１３ａを切除することによりロック片１３を前パネル８から簡易に開放し、図３及び図４に示すごとく重畳パネル６を天パネル２から離反させることができる。
【００２０】
図３乃至図５に示すように、接合パネル４と天パネル２との間における折れ線３の二箇所は、接合パネル４の内方へと回り込む屈曲線３ａとして形成される。上記接合パネル４は望ましくはその折れ線３及び屈曲線３ａで区画された略全面が後パネル１に接着剤で接着される。接合パネル４は必ずしもその全面が後パネル１に接着される必要はなく、例えば接合パネル４の左右両側部分のみを接着してもよい。また、接合方式は接着剤のみに限られるものではなく、留め金等他の方式によることも可能である。
【００２１】
接合パネル４が折れ線３及び屈曲線３ａ上で折られ、後パネル１に接合されることにより、接合パネル４における折れ線３内の屈曲線３ａに対応した箇所が後パネル１の方へと突出し、後パネル１をその外面側に押圧しようとする。このため、上述したごとくロック片１３を解除して重畳パネル６を開くと、図４及び図５に示すように、後パネル１と重畳パネル６との間に共通の凸状湾曲面Ａ，Ｂが形成される結果、重畳パネル６が後パネル１との間における折れ線５の折り癖に打ち勝って起立する。したがって、天パネル２上の開口部１１ａは常時開放状態に保持され、内容物Ｃの簡易かつ迅速な取り出しが可能になる。
【００２２】
図３乃至図５に示すように、必要に応じて天パネル２に上記屈曲線３ａに対向するように癖折り線３ｂが形成される。癖折り線３ｂは、図示例では屈曲線３ａに略対称形に形成されるが、これに限られるものではなく曲線等であってもよい。また、屈曲線３ａと癖折り線３ｂとの中点間を結ぶ折曲線３ｃが形成される。これら屈曲線３ａ、癖折り線３ｂ、折曲線３ｃで接合パネル４及び天パネル２が癖折りされ、折れ線３上に凹陥部が形成されることにより、接合パネル４の屈曲線３ａに対応した箇所に突出形状が適正に保たれる。
【００２３】
また、図１乃至図４示すように、必要に応じて重畳パネル６と後パネル１との間における折れ線５の二箇所が上記屈曲線３ａに重なるように他の屈曲線５ａとして形成され、さらに、癖折り線３ｂ及び折曲線３ｃに重なるように、他の屈曲線５ａ、癖折り線５ｂ及び折曲線５ｃが形成される。これら屈曲線５ａ、癖折り線５ｂ、折曲線５ｃで重畳パネル６と後パネル１との間の折れ線５上に凹陥部が癖折りされることにより、重畳パネル６が折り畳まれても接合パネル４における屈曲線３ａに対応した箇所の突出形状が押し潰されないよう適正に保持される。
【００２４】
図２及び図４に示すように、必要に応じて後パネル１上に他の屈曲線５ａの略中央から下方の底パネル７に向って伸びる補助折れ線５ｄが形成される。後パネル１がこの補助折れ線５ｄで折れ曲がることにより、重畳パネル６はさらに起立しやすくなる。
【００２５】
ここで、上記カートンを構成するブランクの一例について説明する。
【００２６】
図６に示すように、このカートンのブランクにおいては、接合パネル４、天パネル２、前パネル８、底パネル７、後パネル１、重畳パネル６及びロック片１３が各折れ線３，１４，１５，１６，５，１２を介して一方向に連接される。接合パネル４と天パネル２との間における折れ線３の二箇所は、接合パネル４の内方へと回り込む屈曲線３ａとされる。また、屈曲線３ａと対称的に癖折り線３ｂが天パネル２に形成される。重畳パネル６と後パネル１との間の折れ線５に関しても同様な屈曲線５ａ、癖折り線５ｂ及び折曲線５ｃが形成され、さらに補助折れ線５ｄが形成される。ロック片１３にはジッパー部１３ａが形成される。
【００２７】
また、天パネル２、前パネル８、底パネル７及び後パネル１の左右両側には、それぞれ折れ線１７，１８，２２，１９を介して左側パネル９、右側パネル１０、折込み片２０，２３，２１が連接される。
【００２８】
このブランクは例えば次のような手順で箱型に組み立てられる。
【００２９】
接合パネル４のハッチングで示す接着部４ａに接着剤を塗布した後、このブランクを折れ線１４，１６で山折りし、接合パネル４を後パネル１に接着する。続いて、ロック片１３のジッパー部１３ａより先の先端部に接着剤を塗布し、ロック片１３を折れ線１２で山折りしてこの先端部を前パネル８のハッチングで示す接着部８ａに接着する。これにより、カートンの扁平な筒体が形成される。
【００３０】
なお、これらの貼り合せ前に折れ線３，５，１５を癖折りしておくのが望ましい。同様に、屈曲線３ａ，５ａ、癖折り線３ｂ，５ｂ及び折曲線３ｃ，５ｃ、補助折れ線５ｄも癖折りしておくのが望ましい。
【００３１】
内容物Ｃの充填に際して、上記カートンの扁平な筒体が角筒状に折り起こされ、それぞれ折れ線１７，１８，２２，１９で左側パネル９、折込み片２０，２３，２１が内側に折られ、折込み片２３に左側パネル９が接着剤で接着され、カートンの左側が閉じられる。
【００３２】
次に、内容物Ｃがカートンの右側からカートン内に収納され、それぞれ折れ線１７，１８，２２，１９で右側パネル１０、折込み片２０，２３，２１が内側に折られ、折込み片２３に右側パネル１０が接着剤で接着され、カートンの右側が閉じられる。これにより、内容物が充填されたカートンが完成する。
【００３３】
次に、上記構成のカートンの作用について説明する。
【００３４】
図１に示すカートンにおいて、ジッパー部１３ａを切除することによりロック片１３を前パネル８から外し、重畳パネル６を天パネル２上からめくり上げるようにすると、開口領域が破断線１１に沿って破断し、開口部１１ａが天パネル２上に形成される。図３に示すように、開口領域の開口部１１ａに対応する破断片１１ｂは重畳パネル６上に保持される。
【００３５】
接合パネル４が折れ線３及び屈曲線３ａ上で折り曲げられていることから、接合パネル４における折れ線３内の屈曲線３ａに対応した箇所が後パネル１へと突出し、後パネル１をその外面側に押圧する。このため、重畳パネル６を開くと、図４及び図５に示すごとく、重畳パネル６と後パネル１との間に共通の凸状湾曲面Ａが形成され、重畳パネル６が後パネル１との間における折れ線５の折り癖に打ち勝って起立する。
【００３６】
これにより、天パネル２上の開口部１１ａが常時開放状態に保持され、内容物Ｃの簡易かつ迅速な取り出しが可能になる。
【００３７】
また、図３乃至図５に示すように、屈曲線３ａ、癖折り線３ｂ及び折曲線３ｃで接合パネル４及び天パネル２が癖折りされ、折れ線３上で凹陥部が形成されることから、接合パネル４の屈曲線３ａに対応した箇所の突出形状が適正に保たれる。このため、重畳パネル６の起立状態が持続する。
【００３８】
重畳パネル６と後パネル１との間における折れ線５上にも同様な凹陥部が屈曲線５ａ、癖折り線５ｂ及び折曲線５ｃにより上記凹陥部に合致するように形成され、さらに、補助折れ線５ｄが形成されることから、カートンの開封前において重畳パネル６が折り畳まれた状態にあっても接合パネル４における屈曲線３ａに対応した箇所の突出形状が押し潰されないよう保持される。また、凹陥部はカートンを構成する紙シートを切断することなく形成することが可能であるから、カートンの密封性が適正に維持される。
【００３９】
＜実施の形態２＞
図１乃至図５に示すカートンは、次に述べるような構成のブランクによっても形成することができる。
【００４０】
図７に示すように、このカートンのブランクでは、接合パネル４、天パネル２、前パネル８、底パネル７、後パネル１、重畳パネル６及びロック片１３が各折れ線３，１４，１５，１６，５，１２を介して一方向に連接される。接合パネル４と天パネル２との間における折れ線３の二箇所は、接合パネル４の内方へと回り込む屈曲線３ａとされる。また、屈曲線３ａと対称的に癖折り線３ｂが天パネル２に形成される。屈曲線３ａと癖折り線３ｂとの中点間を結ぶ折曲線３ｃも形成される。重畳パネル６と後パネル１との間の折れ線５に関しても同様な屈曲線５ａ、癖折り線５ｂ及び折曲線５ｃが形成され、さらに補助折れ線５ｄが形成される。ロック片１３にはジッパー部１３ａが形成される。
【００４１】
また、天パネル２、前パネル８及び後パネル１の左右両側には、それぞれ折れ線１７，１８，１９を介して左側パネル９、右側パネル１０、折込み片２０，２１が連接され、左右の側パネル９，１０の先端にはそれぞれ折れ線２４を介して係止舌片２５が連接される。
【００４２】
このブランクは例えば次のような手順で箱型に組み立てられる。
【００４３】
接合パネル４のハッチングで示す接着部４ａに接着剤を塗布した後、このブランクを折れ線１４，１６で山折りし、接合パネル４を後パネル１に接着する。続いて、ロック片１３のジッパー部１３ａより先の先端部に接着剤を塗布し、ロック片１３を折れ線１２で山折りしてこの先端部を前パネル８のハッチングで示す接着部８ａに接着する。これにより、カートンの扁平な筒体が形成される。
【００４４】
なお、これらの貼り合せ前に折れ線３，５，１５を癖折りしておくのが望ましい。同様に、屈曲線３ａ，５ａ、癖折り線３ｂ，５ｂ及び折曲線３ｃ，５ｃ、補助折れ線５ｄも癖折りしておくのが望ましい。
【００４５】
内容物Ｃの充填に際して、上記カートンの扁平な筒体が角筒状に折り起こされ、それぞれ折れ線１７，１８，１９で左側パネル９、折込み片２０，２１が内側に折られる。さらに、折れ線２４で係止舌片２５が内側に折られ、係止舌片２５が底パネル７の内面側に差し込まれる。これにより、角筒状に折り起こされたカートンの左側が閉じられる。
【００４６】
次に、内容物Ｃがカートンの右側からカートン内に収納され、それぞれ折れ線１７，１８，１９で右側パネル１０、折込み片２０，２１が内側に折られ、係止舌片２５が底パネル７の内面側に差し込まれる。これにより、カートンの右側が閉じられ、内容物が充填されたカートンが完成する。
【００４７】
完成したカートンの外観は実施の形態１を示す図１乃至図５と同様に現れ、実施の形態１の場合と同様にして開封することができる。
【００４８】
なお、本発明は上記実施の形態に限定されるものではなく、例えば上記実施の形態では屈曲線、癖折り線等が各折れ線上の二箇所に形成されているが、一箇所のみに形成することもできるし、三箇所以上に形成することもできる。また、屈曲線、癖折り線等は直線の組み合わせで形成されているが、湾曲線で形成することも可能である。屈曲線、癖折り線等により形成される形状も実施の形態ではダイヤカット形になっているが、六角形、レンズ形等他の形状とすることもできる。また、天パネルの開口部は省略可能であり、その場合内容物の出し入れは左右の側パネルを開閉することにより行うことができる。また、天パネルの表面や重畳パネルの内面に所望の表示を施しておけば、重畳パネルを起立状態に保持することにより、これらの表示を常時箱外から見ることができるようにすることができる。さらに、カートンのブランクにおける各種パネル等の配置は種々変更可能である。たとえば、ロック片を前パネルと同じ大きさに形成することも可能である。また、ジッパー部も帯状に限定されるものではない。
【図面の簡単な説明】
【００４９】
【図１】本発明の実施の形態１に係るカートンを前側から見た斜視図である
【図２】本発明の実施の形態１に係るカートンを後側から見た斜視図である
【図３】本発明の実施の形態１に係るカートンを開封後に前側から見た斜視図である。
【図４】本発明の実施の形態１に係るカートンを開封後に後側から見た斜視図である。
【図５】図３中、Ｖ−Ｖ線矢視断面図である。
【図６】本発明の実施の形態１に係るカートンのブランク図である。
【図７】本発明の実施の形態２に係るカートンのブランク図である。
【符号の説明】
【００５０】
１…後パネル
２…天パネル
３，５…折れ線
３ａ，５ａ…屈曲線
３ｂ，５ｂ…癖折り線
４…接合パネル
６…重畳パネル
１１…破断線
【図１】
2007168849.tif 000003
【図２】
2007168849.tif 000004
【図３】
2007168849.tif 000005
【図４】
2007168849.tif 000006
【図５】
2007168849.tif 000007
【図６】
2007168849.tif 000008
【図７】
2007168849.tif 000009